(57)【要約】【課題】引戸の建て付け時及び取り外し時における作業性を向上し得るとともに、戸袋空間内の清掃性を向上し得る方立部材を提供する。【解決手段】方立部材１は、引戸２を収納する戸袋空間３を区画する壁材４の戸袋口側の端部４ａに沿って配設される方立本体部１０と、見込み方向内方側端部２２と前記引戸の表面２ａとの間に見込み方向に沿って所定の差込空間７が形成されるように、前記壁材の戸袋口側の端部に沿って固定される方立受部２０とを備え、これら方立受部及び方立本体部には、互いに係合する係合部１３，２３，１４，２４がそれぞれに設けられており、これらを係合させることで、前記方立本体部が前記方立受部に対して取り付けられ、閉止状態における前記引戸の戸尻側端部２ｃ及び前記差込空間が隠蔽される一方、これらの係合を解除させることで、前記閉止状態における引戸の戸尻側端部及び前記差込空間が露出する構造とされている。【選択図】図１
2011214345.tif 000002
【特許請求の範囲】
【請求項１】
引戸を収納する戸袋空間を区画する壁材の戸袋口側の端部に沿って配設される方立本体部と、
見込み方向内方側端部と前記引戸の表面との間に見込み方向に沿って所定の差込空間が形成されるように、前記壁材の戸袋口側の端部に沿って固定される方立受部とを備え、
これら方立受部及び方立本体部には、互いに係合する係合部がそれぞれに設けられており、これらを係合させることで、前記方立本体部が前記方立受部に対して取り付けられ、閉止状態における前記引戸の戸尻側端部及び前記差込空間が隠蔽される一方、これらの係合を解除させることで、前記閉止状態における引戸の戸尻側端部及び前記差込空間が露出する構造とされていることを特徴とする方立部材。
【請求項２】
請求項１において、
前記方立本体部は、前記方立受部の見込み側及び見付け側の略全体を覆い隠す形状とされていることを特徴とする方立部材。
【請求項３】
請求項１または２において、
前記方立受部及び前記方立本体部のそれぞれに設けられた係合部は、見込み方向に沿って互いに係合する係合凹溝と係合突片とを組み合わせた構造とされていることを特徴とする方立部材。
【請求項４】
請求項３において、
前記方立本体部は、前記方立受部に対して着脱自在に取り付けられる構造とされていることを特徴とする方立部材。
【請求項５】
請求項４において、
前記方立本体部の上端部及び下端部における見込み方向内方側の角部のうち少なくとも一方には、面取り部が設けられていることを特徴とする方立部材。
【請求項６】
請求項１乃至５のいずれか１項において、
前記方立受部に取り付けられた前記方立本体部の取付状態を保持するロック部を更に備えていることを特徴とする方立部材。
【発明の詳細な説明】
【技術分野】
【０００１】
本発明は、引戸を収納する戸袋空間を区画する壁材の戸袋口側の端部に沿って配設される方立部材に関する。
【背景技術】
【０００２】
従来の引戸の納め構造としては、引戸の戸尻側に引き込み用の控え壁を設けた控え壁納めや、控え壁を設けずに、壁面の手前に沿って納めるアウトセット納めが一般的である。
このような引戸の納め構造では、引戸が納められる空間側の壁面に手摺りを設けたい場合など、該壁面を有効利用することができず、このため、引戸を収納する戸袋空間を壁厚内に設けた戸袋納めを採用することが考えられる。
このような戸袋納め構造では、一般的に、戸先側の縦枠と、戸袋空間の戸袋口側に設けられた方立部材とによって、出入り口としての開口部が区画され、この開口部に建て付けられた引戸を、戸袋空間に引き込み、収納させることで、該開口部が開放される。
【０００３】
ところで、このような戸袋納めでは、戸袋空間を区画する壁材や、開口部を区画する縦枠及び方立部材を施工した後、引戸を建て付ける際には、引戸を斜めにした状態で、引戸の戸尻側端部を戸袋口に挿入させて建て付ける必要があり、施工性の改善が望まれていた。
また、このような戸袋納め構造では、戸袋空間内に埃等が溜まり易く、この戸袋空間内を清掃する際には、引戸を戸枠から取り外して戸袋口から清掃具を挿入して清掃するなど、面倒な作業であり、清掃性の改善が望まれていた。
【０００４】
下記特許文献１では、戸枠に固定して配置される戸袋壁本体の外面を覆って配置される戸袋壁表面パネルを、戸枠の溝部に縁部を嵌め込んで着脱可能に支持させ、この戸袋壁表面パネルを戸袋口側から方立材で押さえ固定する構造とされた戸袋付き引戸ユニットが提案されている。また、上記方立材は、上記戸袋壁本体の戸袋口側の縁部に着脱可能に取り付けられる構造とされている。
この引戸ユニットによれば、上記方立材を取り外し、上記戸袋壁表面パネルを取り外すことで、骨組み体とされた戸袋壁本体の縦材及び横材の間の空間から、異物等の除去を行なうことができる、と説明されている。
【０００５】
また、下記特許文献２では、戸先側縦枠と戸袋入口の方立との間の開口幅を引戸扉の横幅よりも大とし、これら戸先側縦枠又は戸袋入口の方立の少なくとも一方に着脱自在な付枠を配設した構造とされた引戸装置が提案されている。
この引戸装置によれば、引戸枠部材に引戸扉を取り付けた後、戸先側縦枠乃至は戸袋入口の方立に対して付枠を取り付けることで、引戸枠部材への引戸扉の取り付けが容易である、と説明されている。
【先行技術文献】
【特許文献】
【０００６】
【特許文献１】特開２００７−３１９７５号公報（図２参照）
【特許文献２】特開２００７−９２４７６号公報（図５参照）
【発明の概要】
【発明が解決しようとする課題】
【０００７】
しかしながら、上記特許文献１に記載された戸袋付き引戸ユニットでは、戸袋空間内の異物等を除去するためには、上記方立材を取り外し、さらに上記戸袋壁表面パネルを取り外す必要があり、大掛かりな作業となり、更なる清掃性の改善が望まれていた。
また、上記特許文献２に記載された引戸装置では、引戸枠部材への引戸扉の施工性は改善されるものの、戸袋内の清掃性については考慮されておらず、戸袋空間内を清掃する際には、引戸を戸枠から取り外す必要があった。
【０００８】
本発明は、上記実情に鑑みなされたものであり、引戸の建て付け時及び取り外し時における作業性を向上し得るとともに、戸袋空間内の清掃性を向上し得る方立部材を提供することを目的としている。
【課題を解決するための手段】
【０００９】
前記目的を達成するために、本発明に係る方立部材は、引戸を収納する戸袋空間を区画する壁材の戸袋口側の端部に沿って配設される方立本体部と、見込み方向内方側端部と前記引戸の表面との間に見込み方向に沿って所定の差込空間が形成されるように、前記壁材の戸袋口側の端部に沿って固定される方立受部とを備え、これら方立受部及び方立本体部には、互いに係合する係合部がそれぞれに設けられており、これらを係合させることで、前記方立本体部が前記方立受部に対して取り付けられ、閉止状態における前記引戸の戸尻側端部及び前記差込空間が隠蔽される一方、これらの係合を解除させることで、前記閉止状態における引戸の戸尻側端部及び前記差込空間が露出する構造とされていることを特徴とする。
【００１０】
本発明においては、前記方立本体部を、前記方立受部の見込み側及び見付け側の略全体を覆い隠す形状としてもよい。
また、本発明においては、前記方立受部及び前記方立本体部のそれぞれに設けられた係合部を、見込み方向に沿って互いに係合する係合凹溝と係合突片とを組み合わせた構造としてもよい。
また、本発明においては、前記方立本体部を、前記方立受部に対して着脱自在に取り付けられる構造としてもよい。
また、本発明においては、前記方立本体部の上端部及び下端部における見込み方向内方側の角部のうち少なくとも一方に、面取り部を設けてもよい。
また、本発明においては、前記方立受部に取り付けられた前記方立本体部の取付状態を保持するロック部を更に備えたものとしてもよい。
【発明の効果】
【００１１】
本発明に係る方立部材は、上述のような構成としたことで、引戸の建て付け時及び取り外し時における作業性を向上させることができるとともに、戸袋空間内の清掃性を向上させることができる。
【図面の簡単な説明】
【００１２】
【図１】（ａ）、（ｂ）は、いずれも本発明の一実施形態に係る方立部材を模式的に示し、（ａ）は、図３（ｂ）におけるＸ部に対応させた一部破断概略拡大横断面図、（ｂ）は、（ａ）に対応させた同方立部材の係合解除状態を示す図である。
【図２】図３（ａ）におけるＹ−Ｙ線矢視に対応させた同方立部材の係合解除状態を示す一部破断概略拡大縦断面図である。
【図３】（ａ）、（ｂ）は、いずれも同方立部材を施工した状態を模式的に示し、（ａ）は、概略正面図、（ｂ）は、（ａ）におけるＺ１−Ｚ１線矢視に対応させた一部破断概略拡大横断面図である。
【図４】（ａ）、（ｂ）は、いずれも本発明の他の実施形態に係る方立部材を模式的に示し、図１（ａ）、（ｂ）にそれぞれ対応させた一部破断概略拡大横断面図である。
【図５】（ａ）、（ｂ）は、いずれも本発明の更に他の実施形態に係る方立部材を模式的に示し、図１（ａ）、（ｂ）にそれぞれ対応させた一部破断概略拡大横断面図である。
【発明を実施するための形態】
【００１３】
以下に本発明の実施の形態について、図面に基づいて説明する。
図１〜図３は、第１実施形態に係る方立部材について説明するための説明図である。
なお、以下の各実施形態では、図３（ｂ）に示すＶ方向から見た状態を基準として、図３（ｂ）において下側を手前側、図３（ｂ）において上側を背面側とし、各実施形態に係る方立部材を施工した状態を基準として、その方向等を説明する。
また、戸袋空間を区画形成する各部材の表面及び裏面は、戸袋空間側に向く面を裏面とし、その逆を表面として説明する。
【００１４】
本実施形態に係る方立部材１は、図３に示すように、住居等の建物の内壁に開設された出入り口としての開口６を閉塞または開放する引戸２を収納する戸袋空間３を区画する壁材４の戸袋口側端部４ａ（図１参照）に沿って配設された例を示している。
戸袋空間３は、柱材や胴縁等で骨組みされた壁下地としての構造体の手前面及び背面のそれぞれに添設された壁材４，４によって、その厚さ方向（引戸２の厚さ方向と同方向）が区画されている。
これら壁材４は、石膏ボードや合板捨張下地等の下地ボードの表面に、壁クロスや壁紙、その他の表面化粧材等を貼着して構成されたものとしてもよい。これら壁材４，４の下端部と床面との入隅部には、巾木５，５が該入隅部に沿って配設されている。
この巾木５は、平板状とされ、例えば、木質系材料や合成樹脂系材料、金属系材料等から帯状に比較的長尺に形成されている。
【００１５】
引戸２の戸先側（図３における右側）の内壁は、上記同様の構造体の手前面及び背面のそれぞれに添設された壁材４，４によって構成され、これら壁材４，４の下端部と床面との入隅部には、上記同様の巾木５，５が配設されている。
この戸先側の内壁の開口縁には、戸先側縦枠３１が柱材や飼木などの枠下地に固定されて上下方向に沿って配設されている。この戸先側縦枠３１には、引戸２の戸先側端部２ｂを受け入れる戸じゃくり溝が上下方向に沿って形成されている。
【００１６】
戸袋空間３の収納方向（引戸２の幅方向と同方向）の末端側（図３における左側）には、戸尻側縦枠３３が柱材や飼木などの枠下地に固定されて上下方向に沿って配設されている。この戸尻側縦枠３３の戸袋空間３側の面には、上下方向の適所に、引戸２の戸尻側端面が当接乃至は弾接するストッパー部としての緩衝体３４が設けられている。また、この戸尻側縦枠３３は、図例では、内壁厚方向（見込み方向）の両端部が、戸袋空間３を区画する手前側の壁材４及び背面側の壁材４のそれぞれの裏面に当接乃至は近接して配設されている。
【００１７】
戸先側縦枠３１の上端部及び戸尻側縦枠３３の上端部は、上枠（鴨居）３０の長手方向両端部に木ねじ等の固定止具によって、それぞれ連結固定されている。
上枠３０は、横桟や飼木などの枠下地に固定されており、図２及び図３（ａ）に示すように、引戸２の上端部に取り付けられたランナー部材２ｆ，２ｆを、引戸２の幅方向に沿って走行可能に支持する走行案内部としての上吊レール３０ａを備えている。
【００１８】
引戸２は、これら上枠３０と、戸先側縦枠３１と、戸尻側縦枠３３とを備えた戸枠に建て付けられており、引手２ｄをして、その開閉がなされる。また、引戸２の下端部には、図２及び図３（ａ）に示すように、床面に向けて開口したガイド凹溝２ｅが引戸２の幅方向に沿って形成されており、このガイド凹溝２ｅには、床面に固定された固定ピン３５が挿入されて、引戸２の幅方向（開閉方向）に沿う移動がガイドされる。
この引戸２は、図３（ｂ）に示すように、開口６を閉塞した状態では、戸先側端部２ｂが戸先側縦枠３１の戸じゃくり溝に納められ、戸尻側端部２ｃが本実施形態に係る方立部材１と、汎用の方立材３２との間に配置される。
【００１９】
これら方立部材１と方立材３２とは、戸袋空間３の収納方向基端側（図３における右側）において、引戸２の引込口としての戸袋口を形成するように見込み方向に空隙を隔てて、それぞれ上下方向に沿って配設される。
つまり、戸袋空間３の手前側及び背面側をそれぞれに区画する壁材４，４の戸袋口側端部のそれぞれに沿って、方立部材１と、方立材３２とが配設される。
図例では、これら方立部材１及び方立材３２と、戸先側縦枠３１とによって開口６の幅方向（引戸２の幅方向と同方向）両側を区画し、これら方立部材１及び方立材３２と、戸尻側縦枠３３とによって戸袋空間３の収納方向両側を区画している。この戸袋空間３は、図３（ｂ）に示すように、引戸２を建て付け施工した状態では、これら方立部材１及び方立材３２、手前側の壁材４及び背面側の壁材４、戸尻側縦枠３３並びに引戸２によって、略閉塞された状態となる。
【００２０】
方立材３２は、図１及び図２に示すように、背面側の壁材４の戸袋口側端部に沿って固定される。この方立材３２は、本実施形態では、汎用の方立材を採用しており、例えば、木質系材料や合成樹脂系材料、金属系材料等から帯状に長尺に形成されている。また、この方立材３２の見込み方向の内方側（内壁厚中心側）端部は、引戸２の背面との間に、当該引戸２の開閉の際に必要となる僅かなクリアランスを隔てて、該背面に近接対面して配置される。この方立材３２は、上枠３０の長手方向途中部位の背面側に形成された切欠部等に、その上端部が係合し、上枠３０に対して木ねじ等の固定止具によって連結固定される。また、この方立材３２の下端部は、床面を形成する床材や床下地材などに木ねじ等の固定止具によって固定される。
【００２１】
本実施形態に係る方立部材１は、図１及び図２に示すように、手前側の壁材４の戸袋口側端部４ａに沿って固定される方立受部２０と、この方立受部２０に対して取り付けられる方立本体部１０とを備えている。
方立受部２０は、見込み方向の外方側端部２１が、手前側の壁材４の表面と略面一状に配置され、見込み方向の内方側端部２２が、引戸２の手前面（表面）２ａとの間に見込み方向に沿って所定の差込空間７が形成されるように配置される。
【００２２】
この差込空間７は、図１（ｂ）に示すように、方立受部２０の内方側端部２２と、引戸２の手前面２ａとの間の見込み方向に沿う寸法Ｄによって形成され、これら内方側端部２２と引戸２の手前面２ａとの間に、上下方向の全体に亘ってスリット状に形成される（図２も参照）。この寸法Ｄは、掃除機等の吸い込み口やその他の各種清掃具の先端部８の幅寸法以上とされ、つまり、差込空間７に清掃具の先端部８の差込が可能な程度に設定される。換言すれば、引戸２の手前面２ａと、方立受部２０の内方側端部２２との間に、差込空間７が形成されるように、当該方立受部２０の外方側端部２１から内方側端部２２までの見込み方向に沿う寸法が設定されている。この見込み方向に沿う寸法は、引戸２の厚さ、壁材４の厚さ、戸袋空間３を含む内壁厚等に応じて設定される。
【００２３】
また、方立受部２０は、正面視において、図１（ａ）に示すように、閉止状態における引戸２の戸尻側端部２ｃと重合しないように、壁材４の戸袋口側端部４ａに沿って固定される。換言すれば、幅方向（引戸２の幅方向と同方向）外方側（戸先側縦枠３１側）の面が、閉止状態における引戸２の戸尻側端部２ｃの端面（戸尻側端面）と略同一平面となるように、またはこの戸尻側端面よりも収納方向末端側（戸尻側縦枠３３側）に位置するように配置される。
【００２４】
この方立受部２０における壁材４の戸袋口側端部４ａに沿って固定される平板状部位の内方側端部２２の幅方向外方側には、見込み方向外方側に向けて開口する係合凹溝２４と、見込み方向外方側に向けて突出する係合突片２３とが、幅方向に沿ってこの順に連成されている。
これら係合凹溝２４及び係合突片２３は、係合部をそれぞれ構成し、当該方立受部２０の上下方向（長手方向）の全長に亘って設けられている。この方立受部２０は、図１に示すように、上記平板状部位とこれら係合凹溝２４と係合突片２３とによって、横断面形状が、鉤状に形成されている。
【００２５】
この方立受部２０は、上枠３０の長手方向途中部位の手前側に形成された切欠部等に、その上端部が係合し、上枠３０に対して木ねじ等の固定止具によって連結固定される。また、この方立受部２０の下端部は、床面を形成する床材や床下地材などに木ねじ等の固定止具によって固定される。
なお、方立受部２０は、例えば、木質系材料や合成樹脂系材料、金属系材料等から上記形状に形成するようにしてもよい。
【００２６】
方立本体部１０は、図１に示すように、方立受部２０に取り付けられた状態では、閉止状態における引戸２の戸尻側端部２ｃ及び差込空間７を隠蔽するように配設される。また、本実施形態では、方立受部２０の見込み側（幅方向外方側）部位及び見付け側（見込み方向外方側）部位の略全体を覆い隠す形状とされている。なお、方立受部２０の見込み方向の外方側端部２１の見付け側の面及びちり部の面（幅方向内方側の面）の一部が露出する態様としてもよい。
また、本実施形態では、この方立本体部１０は、方立受部２０に対して着脱自在に取り付けられる構造とされている。
【００２７】
この方立本体部１０は、図１（ａ）に示すように、方立受部２０に対して取り付けられた状態で、方立受部２０の見込み方向の内方側端部２２よりも見込み方向内方側（引戸２の表面２ａ側）に向けて突出し、戸袋口を形成する戸袋口突出片部１１を備えている。
この戸袋口突出片部１１は、差込空間７（図１（ｂ）参照）を隠蔽するように突出し、その先端部（見込み方向内方側端部）によって、閉止状態における引戸２の戸尻側端部２ｃを隠蔽するように配置される。つまり、この戸袋口突出片部１１は、正面視において、図１（ａ）に示すように、閉止状態における引戸２の戸尻側端部２ｃを隠蔽するように、その幅寸法Ｗが設定されている。換言すれば、この戸袋口突出片部１１は、閉止状態において戸袋空間３内に収納された引戸２の戸尻側端部２ｃの幅寸法以上の幅寸法Ｗとされている。
また、この戸袋口突出片部１１の先端部は、引戸２の手前面２ａとの間に、当該引戸２の開閉の際に必要となる僅かなクリアランスを隔てて、この手前面２ａに近接対面して配置される。つまり、この方立本体部１０の戸袋口突出片部１１の見込み方向の内方側端部と、方立材３２の見込み方向の内方側端部とが、戸袋口を形成するように空隙を隔てて見込み方向に沿って対向配置される。
【００２８】
方立本体部１０の見込み方向の外方側端部には、方立受部２０の見込み方向の外方側端部２１の見付け側の面を覆い隠す凸片部１２が、引戸２の幅方向と同方向に沿って、かつ収納方向基端側に向けて突出形成されている。
この凸片部１２の幅方向外方側には、見込み方向内方側に向けて突出する係合突片１４と見込み方向内方側に向けて開口する係合凹溝１３とが、幅方向に沿ってこの順に連成されている。これら係合突片１４及び係合凹溝１３は、係合部をそれぞれ構成し、当該方立本体部１０の上下方向（長手方向）の全長に亘って設けられている。
この方立本体部１０の係合突片１４と方立受部２０の係合凹溝２４とが見込み方向に沿って係合し、方立本体部１０の係合凹溝１３と方立受部２０の係合突片１３とが見込み方向に沿って係合する。つまり、本実施形態では、方立受部２０及び方立本体部１０のそれぞれに設けられ、互いに係合する係合部は、見込み方向に沿って互いに係合する係合凹溝と係合突片とを組み合わせた構造とされており、図例では、これらが噛み合うように係合する構造とされている。これら方立本体部１０及び方立受部２０の係合部を互いに係合させることで、方立本体部１０が、方立受部２０に対して着脱自在に取り付けられる。
【００２９】
また、本実施形態では、方立本体部１０の上端部及び下端部における見込み方向内方側の角部には、図２に示すように、面取り部１５，１６がそれぞれに形成されている。これら面取り部１５，１６は、図例では、角部を斜めに切除するように形成されたＣ面取り形状とされている。上端部に設けられた面取り部１５は、上枠３０に形成された切欠部内に配設されて、方立本体部１０が方立受部２０に取り付けられて当該方立部材１が施工された状態では、上枠３０によって隠蔽される。一方、図例のように、戸枠を構成する下枠（敷居）を設けずに、方立本体部１０の下端部を床面に当接配置させた態様では、面取り部１６が戸袋口の下端部において露出する。従って、これら面取り部１５，１６は、方立本体部１０の上端部及び下端部における見込み方向内方側の角部のうち少なくとも一方に設けるようにすればよいが、図例のような態様では、上端部のみに設けるようにしてもよい。
また、面取り形状は、図例のようなＣ面取り形状に限られず、Ｒ面取り形状または多面形状の面取り形状としてもよい。
【００３０】
また、方立本体部１０は、方立受部２０に対して取り付けられた状態では、図１（ａ）に示すように、その見付け面及び見込み面が、上記した汎用の方立材３２の見付け面及び見込み面と略同寸同形状とされている。つまり、外郭形状の外周に露出する部位が、汎用の方立材３２と略同寸同形状とされている。このような構成とすることで、戸袋空間３を区画する壁材４の戸袋口側端部４ａに沿って当該方立部材１が配設された状態では、汎用の方立材３２との外観上の違和感が生じ難く、見栄えを向上させることができる。
なお、方立本体部１０は、例えば、木質系材料や合成樹脂系材料、金属系材料等から上記形状に形成するようにしてもよい。
【００３１】
上記構成とされた方立部材１が施工されて、図１（ａ）に示すように、方立本体部１０及び方立受部２０の係合部を互いに係合させた状態では、方立本体部１０の戸袋口突出片部１１によって、閉止状態における引戸２の戸尻側端部２ｃ及び差込空間７が隠蔽される。
一方、図１（ｂ）及び図２に示すように、方立本体部１０を方立受部２０から取り外した状態、つまり、これらの係合部の係合を解除させた状態（係合解除状態）では、閉止状態における引戸２の戸尻側端部２ｃ及び差込空間７が露出する構造とされている。
【００３２】
上記構成とされた本実施形態に係る方立部材１によれば、方立本体部１０及び方立受部２０の上記係合部の係合を解除させることで、差込空間７が露出し、この差込空間７を利用して、清掃具の先端８を戸袋空間３内に挿入でき、戸袋空間３内の清掃性を向上させることができる。また、これにより、戸先側縦枠３１と、戸袋口との間の開口幅、つまり、戸先側縦枠３１から方立受部２０の幅方向外方側の面までの幅寸法が大きくなり、引戸２を容易に建て付けることができ、また、引戸２の取り外しも容易に行うことができる。
また、本実施形態では、方立本体部１０の形状を、方立受部２０の見込み側及び見付け側の略全体を覆い隠す形状としているので、方立本体部１０を方立受部２０に取り付けた状態では、方立受部２０が外表面に露出せず、見栄えを向上させることができる。
【００３３】
さらに、本実施形態では、方立受部２０及び方立本体部１０のそれぞれに設けた係合部を、見込み方向に沿って互いに係合する係合凹溝と係合突片とを組み合わせた構造としているので、引戸２に対面した状態で、これらの係合及び係合の解除を行うことができる。
さらにまた、本実施形態では、方立本体部１０が方立受部２０に対して着脱自在に取り付けられる構造とされているので、方立本体部１０を脱離させて、引戸２の建て付けや取り外し、及び戸袋空間３内の清掃を行うことができる。
また、本実施形態では、方立本体部１０の上端部及び下端部における見込み方向内方側の角部に、面取り部１５，１６を形成しているので、方立本体部１０を方立受部２０から取り外す際に、スムーズに取り外すことができる。つまり、見込み方向に沿って係合を解除して方立本体部１０を方立受部２０から取り外す際に、方立本体部１０の上下端部の見込み方向内方側の角部が、面取り部１５，１６によって、壁材や天井材、床材などに引っ掛かり難くなり、スムーズに取り外すことができる。
【００３４】
次に、本発明に係る他の実施の形態について、図面を参照しながら説明する。
図４は、第２実施形態に係る方立部材について説明するための説明図である。
なお、上記第１実施形態との相違点について主に説明し、同様の構成については、同一符号を付し、その説明を省略または簡略に説明する。
【００３５】
本実施形態に係る方立部材１Ａは、方立本体部１０Ａ及び方立受部２０Ａの係合態様が上記第１実施形態に係る方立部材１とは主に異なる。本実施形態では、方立受部２０Ａに取り付けられた方立本体部１０Ａの取付状態を保持するロック部を備えている。また、本実施形態では、差込空間７を露出させた状態で、方立受部２０Ａからの方立本体部１０Ａの脱離を規制する脱離規制部を備えている。
【００３６】
方立受部２０Ａは、係合突片２３Ａの見込み方向の外方側端部と平板状部位の外方側端部２１とが略同一平面となるように、係合突片２３Ａを見込み方向外方側に向けて突出させている。つまり、平板状部位と係合突片２３Ａとの間に形成された係合凹溝２４Ａの受け入れ開口縁が見込み方向において略一致した位置となるように形成されている。
この係合凹溝２４Ａの一方の内側面（図例では、係合突片２３Ａ側の内側面）の受け入れ開口縁近傍には、係止凹条２６が上下方向に沿って形成されている。また、この係合凹溝２４Ａの底部には、方立本体部１０Ａの係合突片１４Ａの先端部（見込み方向の内方側端部）が挿通される挿通孔が、上下方向に沿って複数箇所に設けられている。
【００３７】
方立本体部１０Ａは、図４（ａ）に示すように、方立受部２０Ａに取り付けられた状態で、係合突片１４Ａの先端部が、方立受部２０Ａの内方側端部２２よりも見込み方向内方側に向けて突出するように係合突片１４Ａを形成している。図例では、方立受部２０Ａの形状に対応させて、係合突片１４Ａの幅方向両側に連成された凸片部１２及び係合凹溝１３Ａのそれぞれの見込み方向内方側の面が略同一平面となるように、係合突片１４Ａが形成されている。この係合突片１４Ａは、上記第１実施形態とは異なり、上下方向の全長に亘って設けられておらず、方立受部２０Ａに形成された上記挿通孔に対応させた部位に、上下方向に沿って複数箇所に設けられている。
【００３８】
また、方立本体部１０Ａの係合突片１４Ａの先端部の一方の外側面（図例では、幅方向外方側の外側面）には、係止突起１７が設けられている。この係止突起１７は、当該係合突片１４Ａの幅方向と同方向に沿って弾性変形可能とされ、例えば、板ばね状とされている。
この係止突起１７は、図４（ａ）に示すように、方立本体部１０Ａが方立受部２０Ａに取り付けられた状態では、方立受部２０Ａの挿通孔の内方側端部２２側の開口縁２５に係止する構造とされている。この係止突起１７の開口縁２５への係止により、方立受部２０Ａに取り付けられた方立本体部１０Ａの取付状態の保持がなされる。つまり、これら係止突起１７及び開口縁２５は、方立受部２０Ａに取り付けられた方立本体部１０Ａの取付状態を保持するロック部を構成する。
【００３９】
また、係止突起１７は、図４（ｂ）の二点鎖線で示すように、方立本体部１０Ａ及び方立受部２０Ａの係合部の互いの係合が解除される途中の差込空間７を露出させた状態において、方立受部２０Ａの係止凹条２６に係止する構造とされている。この係止突起１７の係止凹条２６への係止により、方立本体部１０Ａが差込空間７を露出させた状態で規制され、方立受部２０Ａからの脱離が規制される。つまり、この状態では、方立本体部１０Ａの戸袋口突出片部１１の先端部が、方立受部２０Ａの内方側端部２２と略同一平面となるように、またはこの内方側端部２２よりも見込み方向外方側に位置する構造とされている。
これら係止突起１７及び係止凹条２６は、差込空間７を露出させた状態で、方立受部２０Ａからの方立本体部１０Ａの脱離を規制する脱離規制部を構成する。
【００４０】
上記構成とされた本実施形態に係る方立部材１Ａは、上記第１実施形態と概ね同様、方立本体部１０Ａ及び方立受部２０Ａの係合部を互いに見込み方向に沿って係合させることで、方立本体部１０Ａが方立受部２０Ａに対して着脱自在に取り付けられる。
差込空間７を露出させる場合は、方立本体部１０Ａを係合解除方向（見込み方向外方側）に移動させることで、係止突起１７の弾性変形を伴い、この係止突起１７と開口縁２５との係止が解除され、係合突片１４Ａが見込み方向外方側に向けて移動する。そして、係合突片１４Ａの係止突起１７が、方立受部２０Ａの係止凹条２６に係止し、差込空間露出状態となる。これにより、戸袋空間３内の清掃が可能となる。
方立本体部１０Ａを方立受部２０Ａから取り外す場合は、上記差込空間露出状態からさらに方立本体部１０Ａを係合解除方向に移動させることで、係止突起１７の弾性変形を伴い、この係止突起１７と係止凹条２６との係止が解除される。これにより、方立本体部１０Ａ及び方立受部２０Ａの係合部の互いの係合が解除され、差込空間７及び閉止状態における引戸２の戸尻側端部２ｃが露出する。これにより、戸袋空間３内の清掃が可能となるとともに、引戸２の建て付け時及び取り外し時における作業性を向上させることができる。
【００４１】
上記構成とされた本実施形態に係る方立部材１Ａによれば、上記第１実施形態と概ね同様の効果を奏する。
また、本実施形態では、方立受部２０Ａに取り付けられた方立本体部１０Ａの取付状態を保持するロック部１７，２５を備えているので、方立本体部１０Ａ及び方立本体部２０Ａの互いの係合が意図せずに解除されることを防止することができる。
さらに、本実施形態では、差込空間７を露出させた状態で、方立受部２０Ａからの方立本体部１０Ａの脱離を規制する脱離規制部１７，２６を備えているので、方立本体部１０Ａを方立受部２０Ａから完全に脱離させることなく、戸袋空間３内の清掃が可能となる。
【００４２】
なお、図例では、方立本体部の係止突片の先端部の一方の外側面に、係止突起を設けた態様としているが、両外側面に設けるようにしてもよい。また、これに対応させて、方立受部の係止凹条を係合凹溝の両内側面に設けるようにしてもよい。さらに、係止突片の先端部の係止突起に加え、取付状態において方立受部の係止凹条に係止する係止突起を係止突片の基端部（見込み方向の外方側端部）に更に設けるようにしてもよい。さらには、ロック部及び脱離規制部の態様は、図例のものに限られず、方立本体部に係止凹条を設け、これに係止する係止突起を方立受部に設ける態様としてもよく、これらの両方に互いに係止する係止突起を設ける態様としてもよい。つまり、方立本体部及び方立受部のそれぞれに互いに係止する係止部を設けて、これら係止部によって、上記ロック部及び上記脱離規制部を構成する態様としてもよい。
また、脱離規制部を設けずに、ロック部のみを設けるようにしてもよく、または、ロック部を設けずに、脱離規制部のみを設けるようにしてもよい。
【００４３】
次に、本発明に係る更に他の実施の形態について、図面を参照しながら説明する。
図５は、第３実施形態に係る方立部材について説明するための説明図である。
なお、上記第１実施形態乃至は第２実施形態との相違点について主に説明し、同様の構成については、同一符号を付し、その説明を省略または簡略に説明する。
【００４４】
本実施形態に係る方立部材１Ｂは、方立本体部１０Ｂ及び方立受部２０Ｂの係合態様が上記各実施形態に係る方立部材１，１Ａとは主に異なる。本実施形態では、方立本体部１０Ｂが方立受部２０Ｂに対して着脱自在とされておらず、その脱離を防止する脱離防止部を備えている。また、本実施形態では、この脱離防止部によって脱離が防止された方立本体部１０Ｂと方立受部２０Ｂとの互いの係合部の係合が解除された状態で、方立本体部１０Ｂが戸袋空間３を区画する手前側の壁材４の表面４ａに向けて回動するように揺動可能とされている。
【００４５】
方立本体部１０Ｂは、図５（ａ）に示すように、係合突片１４Ｂの先端部と戸袋口突出片部１１Ａの先端部とが略同一平面となるように、係合突片１４Ｂを見込み方向内方側に向けて突出させている。つまり、これら各先端部が見込み方向において略一致した位置となるように係合突片１４Ｂが形成されている。この係合突片１４Ｂの一方の外側面（図例では、収納方向末端側の外側面）には、方立受部２０Ｂに形成された挿通孔の内方側端部２２側の開口縁２５Ａに係止する上記同様の係止突起１７Ａが設けられている。これら係止突起１７Ａ及び開口縁２５Ａは、上記同様のロック部を構成する。また、この係合突片１４Ｂの先端部には、幅方向両側に突出する抜止片部１８が更に設けられている。
【００４６】
また、方立本体部１０Ｂの係合凹溝１３Ｂは、その底部（見込み方向内方側の面）が、凸片部１２Ａの見込み方向内方側の面よりも見込み方向外方側に位置するように形成されている。図例では、係合突片１４Ｂと他の部位とを一体的に形成せずに、凸片部１２Ａの上記面と係合凹溝１３Ｂの底部を構成する面とによって形成された段部の段壁面に係合突片１４Ｂを固着させ、係合凹溝１３Ｂを形成している。
方立受部２０Ｂは、方立本体部１０Ｂの形状に対応させて、係合突片２３Ｂの見込み方向の外方側端部が、平板状部位の見込み方向の外方側端部２１Ａよりも見込み方向外方側に位置するように形成されている。
【００４７】
これら係合突片２３Ｂ及び平板状部位のそれぞれの外方側端部には、方立本体部１０Ｂの抜止片部１８が見込み方向外方側に抜け出ることを防止する抜止防止部が設けられている。図例では、平板状部位の外方側端部２１Ａに、幅方向外方側に向けて突出する突片状の抜止防止部を設けた態様としている。また、係合突片２３Ｂの外方側端部に、収納方向末端側に向けて突出し、その先端部を見込み方向内方側に向けて屈曲させた鉤状の抜止防止部を設けた態様としている。これら抜止防止部の間の幅寸法は、方立本体部１０Ｂの係合突片１４Ｂの見込み方向に沿う移動が可能な程度に設定されている。
【００４８】
また、本実施形態では、方立受部２０Ｂは、長手方向（上下方向）両端部に開口する中空状に形成されており、その中空部の一部が係合凹溝２４Ｂとなる。また、この方立受部２０Ｂの中空部内を、方立本体部１０Ｂの係合突片１４Ｂ及びその先端部に設けられた抜止片部１８が見込み方向に沿って移動可能とされ、方立受部２０Ｂの上記抜止防止部によって、見込み方向外方側への脱離が防止される。つまり、係合凹溝２４Ｂの受け入れ開口縁を形成するように、上記抜止防止部が設けられており、これら抜止防止部及び抜止片部１８は、方立受部２０Ｂからの方立本体部１０Ｂの脱離を防止する脱離防止部を構成する。
この方立受部２０Ｂの中空部は、方立本体部１０Ｂの抜止片部１８がこの中空部内の見込み方向の外方側端部に位置した状態で、方立本体部１０Ｂが壁材４の表面４ａに向けて回動するように揺動した際に、その抜止片部１８の変位を許容するように形成されている。
また、このように方立本体部１０Ｂが揺動する際に、当該方立本体部１０Ｂの戸袋口突出片部１１Ａと、方立受部２０Ｂとが当接、干渉しないよう、戸袋口突出片部１１Ａには、面取り部１１ａが形成されている。この面取り部１１ａは、戸袋口突出片部１１Ａの先端部の収納方向末端側の角部に、当該方立本体部１０Ｂの上下方向に沿って、その全長に亘って形成されている。
【００４９】
上記構成とされた本実施形態に係る方立部材１Ｂは、上記第２実施形態と概ね同様、方立本体部１０Ｂ及び方立受部２０Ｂの係合部を互いに見込み方向に沿って係合させることで、方立本体部１０Ｂが方立受部２０Ｂに対して取り付けられる。
差込空間７を露出させる場合は、上記第２実施形態と概ね同様、方立本体部１０Ｂを係合解除方向（見込み方向外方側）に移動させることで、係止突起１７Ａの弾性変形を伴い、この係止突起１７Ａと開口縁２５Ａとの係止が解除され、係合突片１４Ｂが見込み方向外方側に向けて移動する。そして、係合突片１４Ｂの抜止片部１８が、方立受部２０Ｂの上記抜止防止部によって係合突片１４Ｂの抜止片部１８の見込み方向外方側への移動が防止され、差込空間露出状態となる。これにより、戸袋空間３内の清掃が可能となる。
差込空間７及び閉止状態における引戸２の戸尻側端部２ｃを露出させる場合は、上記差込空間露出状態において、方立本体部１０Ｂを壁材４の表面４ａに向けて回動させるようにして移動させる。これにより、方立本体部１０Ｂ及び方立受部２０Ｂの係合部の互いの見込み方向に沿う係合が解除されて係合解除状態となり、差込空間７及び閉止状態における引戸２の戸尻側端部２ｃが露出する。これにより、戸袋空間３内の清掃が可能となるとともに、引戸２の建て付け時及び取り外し時における作業性を向上させることができる。
【００５０】
上記構成とされた本実施形態に係る方立部材１Ｂによれば、上記第２実施形態と概ね同様の効果を奏する。
また、方立本体部１０Ｂが方立受部２０Ｂに対して着脱自在とされておらず、上記差込空間露出状態及び上記係合解除状態において、方立受部２０Ｂに対する方立本体部１０Ｂの脱離が防止される。従って、方立本体部１０Ｂの意図しない脱離をより効果的に防止することができる。
なお、ロック部としては、図例の態様に限られず、上記第２実施形態において説明したような種々の態様の採用が可能である。
また、脱離防止部の態様についても図例のものに限られず、方立本体部の係合突片が見込み方向外方側に抜け出ることを防止し、かつ方立本体部が上記のように回動するように揺動可能な態様としてもよい。
【００５１】
なお、上記第１実施形態では、方立本体部及び方立受部のそれぞれに設けられた係合突片と係合凹溝とが噛み合うように互いに見込み方向に沿って係合することで、方立本体部を方立受部に対して取り付ける態様としている。このような態様では、互いに面接触する係合部の摩擦抵抗乃至は面圧によって取付状態の保持がなされるが、着脱の繰り返しが頻繁になされることで磨耗等により、意図しない脱離が生じることも考えられる。従って、上記第２実施形態または第３実施形態で説明したような方立受部に取り付けられた方立本体部の取付状態を保持するロック部を更に設けるようにしてもよい。
また、ロック部の態様としては、上記において説明した種々の態様に限られず、例えば、方立本体部及び方立受部の一方に磁石を設け、他方の対応させた部位に、該磁石が吸着する金属系材料で形成された吸着部を設けるようにしてもよい。このような態様によっても、方立本体部の取付状態の保持が可能となる。
【００５２】
また、上記各実施形態では、方立本体部及び方立受部のそれぞれに設けられた係合部を、見込み方向に沿って互いに係合する態様とした例を示しているが、幅方向に沿って互いに係合する態様としてもよい。
さらに、これら方立本体部及び方立受部のそれぞれに設けられた係合部の態様は、上記したような係合凹溝と係合突片とを組み合わせた構造に限られず、いずれか一方に係合凹溝を設け、他方にこの係合凹溝に係合する係合突片を設ける態様としてもよい。
さらにまた、上記各実施形態において説明した方立本体部の外表面に、化粧樹脂シートや突板などの表面化粧材を貼着したり、または塗装等を施したりしてもよい。
また、戸袋空間を区画する手前側の壁材の戸袋口側端部に沿って、方立部材を配設した態様を例示しているが、戸袋空間を区画する手前側及び背面側の各壁材の戸袋口側端部に沿って、上記各実施形態に係る方立部材をそれぞれに配設するようにしてもよい。
【００５３】
さらに、上記各実施形態に係る方立部材が採用される引戸が建て付けられる戸枠としては、図例のような態様に限られず、引戸によって開閉される開口の開口高さが天井高さまでとされたものとしてもよい。この場合は、上枠の下面を天井仕上げ面と略面一状となるように天井裏側に埋め込まれるようにして配設するようにしてもよく、また、開口高さに応じて方立部材の上下長さを設定するようにしてもよい。また、図例では、下枠を設けずに、上吊り式の戸枠を示しているが、引戸の下端部に戸車を設け、この戸車をガイドするレールを備えた下枠を更に備えた戸枠としてもよい。この場合は、方立部材に対応させた切欠部等を下枠に設けるようにしてもよい。その他、戸袋収納式の引戸が建て付けられる種々の戸枠に、上記各実施形態に係る方立部材を採用するようにしてもよい。
【符号の説明】
【００５４】
１，１Ａ，１Ｂ        方立部材
２                    引戸
２ａ                  引戸の手前面（引戸の表面）
２ｃ                  引戸の戸尻側端部
３                    戸袋空間
４                    壁材
４ａ                  壁材の戸袋口側端部
７                    差込空間
１０，１０Ａ，１０Ｂ  方立本体部
１３，１３Ａ，１３Ｂ  係合凹溝（係合部）
１４，１４Ａ，１４Ｂ  係合突片（係合部）
１５                  上端面取り部
１６                  下端面取り部
１７，１７Ａ          係止突起（ロック部）
２０，２０Ａ，２０Ｂ  方立受部
２２                  内方側端部（見込み方向内方側端部）
２３，２３Ａ，２３Ｂ  係合突片（係合部）
２４，２４Ａ，２４Ｂ  係合凹溝（係合部）
２５，２５Ａ          内方側端部の開口縁（ロック部）
【図１】
2011214345.tif 000003
【図２】
2011214345.tif 000004
【図３】
2011214345.tif 000005
【図４】
2011214345.tif 000006
【図５】
2011214345.tif 000007